(57)【要約】【課題】ソケットを用いたインパクトレンチによる締緩作業の容易化を図る。【解決手段】実施形態は、一端側にインパクトレンチの差込角が嵌入可能なソケットであって、第１保持部と、第２保持部とを備える。第１保持部は、ソケットの一端側に対する他端側から、第１の幅を有する第１のナットを嵌合可能であり、嵌合された第１のナットを保持する。第２保持部は、第１保持部よりソケットの一端側に設けられ、第１の幅より狭い第２の幅を有する第２のナットを嵌合可能であり、嵌合された第２のナットを保持する。一端側から他端側へ向かう軸方向に沿ったソケットの全長に対し、第１保持部の当該方向における長さの割合は略１４％〜１５％である。【選択図】図５
2018030230.tif 000002
【特許請求の範囲】
【請求項１】
一端側にインパクトレンチの差込角が嵌入可能なソケットであって、
前記一端側に対する他端側から、第１の幅を有する第１のナットを嵌合可能であり、嵌合された前記第１のナットを保持する第１保持部と、
前記第１保持部より前記一端側に設けられ、前記第１の幅より狭い第２の幅を有する第２のナットを嵌合可能であり、嵌合された前記第２のナットを保持する第２保持部と、
を備え、
前記一端側から前記他端側へ向かう軸方向に沿ったソケットの全長に対し、前記第１保持部の当該方向における長さの割合が略１４％〜１５％であるインパクトレンチ用ソケット。
【請求項２】
前記第１保持部は、
前記第１のナットの先端面における周縁部が当接される第１の当接面と、前記第１のナットの側面が当接される第１の側面とを備え、
前記第１保持部の幅方向において、前記第１の当接面の内側に隣接して、前記第２保持部の幅と同じ幅の第１の開口が設けられ、
前記第２保持部は、
前記第１保持部の前記第１の開口より奥側に設けられ、
前記第２のナットの先端面における周縁部が当接される第２の当接面と、前記第２のナットの側面が当接される第２の側面とを備える
ことを特徴とする請求項１に記載のインパクトレンチ用ソケット。
【請求項３】
前記第２保持部の幅方向において、前記第２の当接面の内側に隣接して、第２の開口が設けられ、
前記第２保持部より前記一端側に、前記第２の開口と連なり、トルシア型高力ボルトのピンテールを収容可能な収容部を備える
ことを特徴とする請求項１に記載のインパクトレンチ用ソケット。
【請求項４】
前記軸方向において、前記第１保持部の長さは、トルシア型高力ボルトのナットの長さより短い
ことを特徴とする請求項３に記載のインパクトレンチ用ソケット。
【発明の詳細な説明】
【技術分野】
【０００１】
本発明は、インパクトレンチに用いられるソケットに関する。
【背景技術】
【０００２】
インパクトレンチは、ソケットが取り付けられることにより、ボルトやナットを締め付けることができる工具である。ソケットの一端側は、インパクトレンチの先端部（差込角）に取り付けられ、インパクトレンチの先端部が回転すると、その回転にしたがってソケットも回転する。ソケットの他端側には、例えばボルトが嵌め込まれて使用される。
【０００３】
その状態で、インパクトレンチの先端部が回転されると、その回転にしたがってソケットが回転される。ソケットに嵌め込まれたボルトは、締め付けられて対象物に固定されるか、あるいはボルトが緩められて対象物から外される（締緩作業）。
【先行技術文献】
【特許文献】
【０００４】
【特許文献１】特開平０８−１４１９１９号公報
【特許文献２】特開２００２−２５４３３２号公報
【発明の概要】
【発明が解決しようとする課題】
【０００５】
建設現場等の作業現場では、異なるサイズのナットやボルトの締緩作業が必要になる場合がある。これについて従来は、ボルト等のサイズごとに異なるインパクトレンチ用ソケットが用いられていた。
【０００６】
例えば高所作業の作業者は、サイズの異なるナットを有するトルシア型高力ボルトをそれぞれ用意していた。当該作業者は、第１のサイズのトルシア型高力ボルトを締め付けるために、第１のサイズのソケットをインパクトレンチに取り付ける。その状態で締め付ける作業を行った後、第２のサイズのトルシア型高力ボルトを締め付けるために、第２のサイズのソケットをインパクトレンチに取り付ける。
【０００７】
しかしながら、高所作業の作業者はインパクトレンチ、ソケットおよびトルシア型高力ボルトの他にも複数の工具等を所持している場合がある。またトルシア型高力ボルトを保持しつつ、インパクトレンチからソケットを取り外す作業は煩雑である。
【０００８】
また、高所作業の作業者は、インパクトレンチからソケットを取り外すときに、高所からソケットを落下させてしまうことに留意しなければならない。同様に、ソケットとインパクトレンチとの接続部品を落下させてしまうことに留意しなければならない。
【０００９】
この発明は、以上の課題に鑑みて成されたものであって、その目的は、ソケットを用いたインパクトレンチによる締緩作業の容易化を図ることである。
【課題を解決するための手段】
【００１０】
実施形態は、一端側にインパクトレンチの差込角が嵌入可能なインパクトレンチ用ソケットであって、第１保持部と、第２保持部と、を備える。第１保持部は、ソケットの一端側に対する他端側から、第１の幅を有する第１のナットを嵌合可能であり、嵌合された第１のナットを保持する。第２保持部は、第１保持部よりソケットの一端側に設けられ、第１の幅より狭い第２の幅を有する第２のナットを嵌合可能であり、嵌合された第２のナットを保持する。一端側から他端側へ向かう軸方向に沿ったソケットの全長に対し、第１保持部の当該方向における長さの割合は略１４％〜１５％である。
【発明の効果】
【００１１】
本発明によるインパクトレンチ用ソケットは、インパクトレンチに取り付けられたまま、異なるサイズのナットを有するトルシア型高力ボルトそれぞれに用いることができる。したがって、当該インパクトレンチ用ソケットを用いて締緩作業を行う作業者は、ソケットにおける、第１保持部または第２保持部のいずれかを用いることで、異なるサイズの複数のボルトの締緩作業をそれぞれ行う際に、その都度インパクトレンチからソケットを取り外す必要がない。したがって、ソケットを用いたインパクトレンチによる締緩作業を簡便にすることが可能である。
【００１２】
さらに、ソケットの取り外しに伴って、高所からソケットを落下させてしまうおそれを回避するという、従来のソケットにはない効果を有する。またソケットとインパクトレンチとの接続部品を落下させてしまうということも防止する事ができる。また異なるサイズのナットの締緩作業において、ソケットを交換する作業を省略できるので、締緩作業全体の作業効率を向上させることも可能である。
【図面の簡単な説明】
【００１３】
【図１】実施形態のインパクトレンチ用ソケットの斜視図である。
【図２】実施形態のインパクトレンチ用ソケットの正面図である。
【図３】実施形態のインパクトレンチ用ソケットの左側面図である。
【図４】第１保持部および第２保持部を示す斜視図である。
【図５】実施形態のインパクトレンチ用ソケットのＡ−Ａ’断面図である。
【図６】実施形態のインパクトレンチ用ソケットの右側面図である。
【図７】実施形態のインパクトレンチ用ソケットとトルシア型高力ボルトを示す斜視図である。
【図８】実施形態のインパクトレンチ用ソケットとトルシア型高力ボルトを示す斜視図である。
【図９】実施形態のインパクトレンチ用ソケットとトルシア型高力ボルトを示す斜視図である。
【図１０】実施形態のインパクトレンチ用ソケットの使用状態を示す正面図。
【発明を実施するための形態】
【００１４】
（概略構成）
図１〜図１０を参照して、実施形態にかかるインパクトレンチ用ソケット（以下、「ソケット１００」とする。）について説明する。ソケット１００は、円筒形の筐体の内部に、保持部と接続部とを有する。保持部により、締緩作業の対象となるナットが保持される。接続部は、ソケット１００をインパクトレンチＩＷ（図１０参照）に接続するための部位である。図１に示す例において説明すると、ソケット１００は、上記筐体の内部に設けられた第１保持部１０、第２保持部２０、ピンテール収容部３０および接続部４０を含んで構成される。
【００１５】
また、ソケット１００の外形を図１および図２に示す例において説明すると、ソケット１００は、筐体において最も径が大きい円柱状部分１０ａと、当該円柱状部分１０ａと連続したテーパー部１０ｂと、テーパー部１０ｂと連続した接続部４０とを含んで構成される。テーパー部１０ｂは、円柱状部分１０ａとの境界部分から次第に径が小さくなっていくテーパー面を有する。
【００１６】
ソケット１００における円柱状部分１０ａは、その内部において、円柱の軸方向（ソケット１００の一端側と他端側とを結ぶ方向）に並んで、第１保持部１０、第２保持部２０を有する。そのさらに他端側（インパクトレンチの差込角嵌入部側）には、ピンテール収容部３０が設けられ、他端には接続部４０が設けられている。図１，図３〜図５に示すように、ソケット１００には、その筐体の軸方向における一端部から他端部へ向かう方向に凹となる開口が設けられている。その開口から当該筐体の他端部側に向かった凹部が第１保持部１０である。図１，図２および図４に示すように、筐体の当該開口は、第１保持部１０が保持しようとするボルト等のナットの形状（図６等参照）に対応するように形成される。また図５に示すように、ソケット１００の一例において、円柱状部分１０ａの内側には第１保持部１０と第２保持部２０が設けられている。テーパー部１０ｂの内側には、ピンテール収容部３０が設けられている。また、図５に示すようにソケット１００は、円柱状部分１０ａとテーパー部１０ｂと接続部４０とは一体的に形成されている。
【００１７】
＜第１保持部＞
図４および図５に示すように第１保持部１０は、ソケット１００の軸方向に沿った側面（円柱状部分１０ａの内側の面；第１の側面１ａ）が、ほぼソケット１００の筐体の開口部の形状を維持したまま、ほぼ勾配なく奥側に伸びていく形状を有する。第１保持部１０を形成する当該第１の側面１ａは所定の長さを有し、最奥端に当該側面と直交する第１の当接面１を有する。所定の長さとは、例えばソケット１００の軸方向において、トルシア型高力ボルトのナットの長さより短い。したがって、第１の側面１ａは、第１保持部１０により保持しようとするナットの側面をすべて覆わず、トルシア型高力ボルトのナットのピンテール側を保持する。なお、第１保持部１０により保持されるトルシア型高力ボルトのナット部分は、「第１のナット」の一例に該当する。
【００１８】
第１の当接面１は、第１保持部１０により保持しようとするナットの、先端面の少なくとも周縁部を保持するものである（図８，図１０参照）。すなわち、図１，図２および図４に示すように、第１の当接面１は、ソケット１００の開口部とほぼ同じ形状の外周縁を有するとともに、当該開口部に対応し、当該開口部より一回り小さい形状の内周縁を有する。この外周縁は、保持しようとするナットを嵌入可能なサイズを有する。第１の側面１ａあるいは第１の当接面１の外周縁の幅は、「第１の幅」の一例に該当する。
【００１９】
また図３，図４および図５に示すように第１の当接面１の内周縁の内側は、第２保持部２０との境界部分であり、開口している。この開口は、「第１の開口」の一例に該当する。
【００２０】
なお、図３に示すように、ソケット１００の開口および第１保持部１０は、角部より辺が内側に窪んでいる。これは、第１保持部１０により保持されるナットに対し、辺の部分でナットを保持しようとするものである。これにより角部分の摩耗を防止することができる。
【００２１】
＜第２保持部＞
図４および図５に示すように第２保持部２０は、第１保持部１０より奥側に位置し、第１保持部１０を一回り小さくしたサイズ（直径）で形成されている。第２保持部２０は、ソケット１００の軸方向に沿った第２の側面２ａが、ほぼ第１保持部１０の第１の開口の形状を維持したまま、ほぼ勾配なく奥側に伸びていく形状を有する。第２保持部２０を形成する当該第２の側面２ａは所定の長さを有し、最奥端に当該側面と直交する第２の当接面２を有する（図５参照）。第２の当接面２は、第２保持部２０により保持しようとするナットの、先端面の少なくとも周縁部を保持するものである。すなわち、図１，図２および図４に示すように、第２の当接面２は、第１保持部１０の第１の開口とほぼ同じ形状の外周縁を有するとともに、当該第１の開口に対応し、当該開口部より一回り小さい形状の内周縁を有する。この外周縁は、保持しようとするナットを嵌入可能なサイズを有する。第２の側面２ａあるいは第２の当接面２の外周縁の幅は、「第２の幅」の一例に該当する。
【００２２】
なお、第２保持部２０により保持されるトルシア型高力ボルトのナット部分は、「第２のナット」の一例に該当する。
【００２３】
なお、図３に示すように、第２保持部２０は、角部より辺が内側に窪んでいる。これは、第１保持部１０で説明した構成と同様の意図により構成されたものである。
【００２４】
＜ピンテール収容部＞
図４および図５に示すようにピンテール収容部３０は、第２保持部２０より他端側に位置し、トルシア型高力ボルトのピンテールを収容可能なサイズで形成されている。各図の例において、ピンテール収容部３０は、第２保持部２０を一回り小さくしたサイズ（直径）で形成されている。ピンテール収容部３０は、ソケット１００の軸方向に沿った側面が、ほぼ第２保持部２０の第２の開口の形状を維持したまま、ほぼ勾配なく奥側に伸びていく形状を有する。ピンテール収容部３０を形成する当該側面は、少なくともトルシア型高力ボルトの軸方向におけるピンテール以上の長さを有し、最奥端が接続部４０に隣接している（図５参照）。すなわちピンテール収容部３０は、例えばナットが第２保持部２０に保持されるサイズのトルシア型高力ボルトについて、そのピンテールを収容するものである。
【００２５】
＜接続部＞
図３〜図６に示すように接続部４０は、ピンテール収容部３０より他端側であって、ソケット１００における最も他端側に位置し、インパクトレンチの差込角（１／２規格等）が差し込まれることにより、差込角を嵌合可能なサイズで形成されている。各図の例において、したがって接続部４０は、インパクトレンチの差込角の形状に対応した形状を有する。すなわち接続部４０は、トルシア型高力ボルトの差込角が嵌合されることにより、ソケット１００とインパクトレンチとを接続するための部位である。
【００２６】
また接続部４０には、インパクトレンチの差込角（突部）を固定するためのピンホールｐｈが設けられている。ピンホールｐｈは、接続部４０に対し、外周部を貫通し、ソケット１００の軸方向に交差するように設けられている。図５の例においては、当該軸方向と直交するように、ソケット１００の接続部４０のピンホールｐｈが設けられている。ピンホールｐｈには、その一端側から他端側に通された柱状の接続ピン等、任意の接続部材（不図示）が通される。このとき、インパクトレンチの差込角にピンホールｐｈに対応する貫通孔が設けられており、当該接続部材を介してソケット１００とインパクトレンチとの相対的位置関係が保持される。
【００２７】
（使用例）
次に、実施形態のソケット１００の使用例について説明する。なお、図７〜図９においては、インパクトレンチの図示を省略するが、以下においては、想定される使用の一例として、ソケット１００とインパクトレンチとが先に接続され、その後、第１保持部１０の開口から、トルシア型高力ボルト等が挿入されるものとして説明する。
【００２８】
＜ボルト／ナットの挿入＞
上記例の第１段階として、ソケット１００がインパクトレンチに接続される。さらに、図７に示すようにトルシア型高力ボルト等の先端部（ピンテール等）側からソケット１００の第１保持部１０の開口から、トルシア型高力ボルト等が挿入される。
【００２９】
＜大きいサイズのナットの締緩作業＞
大きいサイズのナット等の締緩作業を行う場合、図８に示すように、ナット等を、ソケット１００の第１保持部１０に保持させる。このとき、挿入されたナット等の側面は、第１保持部１０の第１の側面１ａに接触している。さらにナット等の先端面（ピンテール側の面）の外周側は、第１保持部１０における第１の当接面１に接触している。また、図８に示すように、第１保持部１０にトルシア型高力ボルトのナット部分を保持させるときは、当該ナット部分がソケット１００の第１保持部１０の開口から外側へはみ出すように構成されている。
【００３０】
ソケット１００の第１保持部１０の第１の当接面１にトルシア型高力ボルトが嵌め込まれたら、作業者がインパクトレンチを操作して、その動力に応じてナットを締め付ける（図１０参照）。
【００３１】
＜小さいサイズのナットの締緩作業＞
大きいサイズトルシア型高力ボルトの締緩作業を行った後、それより小さいサイズの対応するトルシア型高力ボルトの締緩作業を行う場合、インパクトレンチに接続されたソケット１００を上記大型のトルシア型高力ボルトから取り外す。本実施形態におけるソケット１００では、ソケットの交換をすることなく、それより小さくしたサイズのトルシア型高力ボルトに使用することができる。すなわち作業者は、大型のトルシア型高力ボルトから外された、ソケット１００およびインパクトレンチを、締緩作業の対象となる、小型のトルシア型高力ボルトの位置に合わせる。
【００３２】
次に作業者は、位置合わせをした小型のトルシア型高力ボルトをソケット１００の第１保持部１０の開口から挿入する。この場合、図９に示すように、ナット等を、第２保持部２０に保持させる。このとき、挿入されたナット等の側面は、第２保持部２０の第２の側面２ａに接触している（図４および図５参照）。さらにナット等の先端面（ピンテール側の面）の外周側は、第２保持部２０における第２の当接面２に接触している。また、第２保持部２０にトルシア型高力ボルトのナット部分を保持させるときは、トルシア型高力ボルトのピンテールがピンテール収容部３０に収容される。
【００３３】
作業者は、ソケット１００の第２保持部２０まで、小型トルシア型高力ボルトのナット部分を押し込み、当該ナット部分を第２保持部２０に嵌め込んだら、インパクトレンチの駆動に応じて締緩作業を行うことができる。
【００３４】
以上、一例として大きいサイズのトルシア型高力ボルトの締緩作業を行ってから、小さいサイズのトルシア型高力ボルトの締緩作業を行う順序で使用例を説明したが、その逆の順序で、それぞれ締緩作業を行うことも可能である。
【００３５】
（作用・効果）
以上説明した実施形態にかかるソケット１００の作用および効果について説明する。
【００３６】
以上説明したように、実施形態におけるソケット１００は、インパクトレンチに取り付けられたまま、異なるサイズのナットを有するトルシア型高力ボルトそれぞれに用いることができる。したがって、当該インパクトレンチ用ソケットを用いて締緩作業を行う作業者は、ナットのサイズに応じて、ソケット１００における、第１保持部１０または第２保持部２０のいずれかを選択的に用いることができる。したがって、異なるサイズの複数のボルトの締緩作業をそれぞれ行う際に、その都度インパクトレンチからソケットを取り外すという煩雑な作業が必要ない。その結果、ソケット１００を用いたインパクトレンチによるトルシア型高力ボルト等の締緩作業を簡便にすることが可能である。
【００３７】
さらに、ソケットの取り外しに伴って、高所からソケットを落下させてしまうおそれを回避するという、従来のソケットにはない効果を有する。またソケットとインパクトレンチとの接続部品を落下させてしまうことも防止することができる。また異なるサイズのナットの締緩作業において、ソケットを交換する作業を省略できるので、締緩作業全体の作業効率を向上させることも可能である。
【００３８】
なお、実施形態の説明の理解のために示した各図において、破線で示した部分がある。この部分は、任意の他の形状に置き換えることが可能である。ただし、高所作業の作業者はインパクトレンチ、ソケットおよびトルシア型高力ボルトの他にも複数の工具等を所持している場合がある。このような場合、ソケットが重ければ重いほど、高所作業に支障をきたすおそれがある。またソケットは、インパクトレンチの先端に接続されるため、先端が重くなればなるほど、締緩作業に支障をきたすおそれがある。
【００３９】
この点、上述の各図におけるソケット１００においては、ソケット１００の軽量化を図るためインパクトレンチとの接続部分に向かって徐々に細くなっていくように構成されている。このような構成によれば、ソケットの軽量化を図ることができ、上記のような問題を解消することが可能である。
【符号の説明】
【００４０】
１      第１の当接面
１ａ    第１の側面
２      第２の当接面
２ａ    第２の側面
１０    第１保持部
１０ａ  円柱状部分
１０ｂ  テーパー部
２０    第２保持部
３０    ピンテール収容部
４０    接続部
１００  ソケット
ＩＷ    インパクトレンチ
ｐｈ    ピンホール
【図１】
2018030230.tif 000003
【図２】
2018030230.tif 000004
【図３】
2018030230.tif 000005
【図４】
2018030230.tif 000006
【図５】
2018030230.tif 000007
【図６】
2018030230.tif 000008
【図７】
2018030230.tif 000009
【図８】
2018030230.tif 000010
【図９】
2018030230.tif 000011
【図１０】
2018030230.tif 000012